(57)【要約】【課題】開放的で快適な屋外スペースを確保した上で、居住性や意匠性を向上させることができる建物を提供する。【解決手段】１階から２階に亘り面一状に形成されるとともに、ＬＤＫ窓８６とホール窓８９とを有する第一隅壁部８１と、１階から２階に亘り面一状に形成されるとともに、一端側が第一隅壁部８１の一端側に接続されて第一隅壁部８１とともに入隅部を構成する第二隅壁部８２と、第一隅壁部８１の他端側に、一端側で接続されて第一隅壁部８１とともに第一出隅部８３を構成する東側壁部１０Ｅと、第二隅壁部８２の他端側に、一端側で接続されて第二隅壁部８２とともに第二出隅部９１を構成する南側壁部１０Ｓと、第一隅壁部８１、第二隅壁部８２、東側壁部１０Ｅの延長面、及び南側壁部１０Ｓの延長面で画成された半屋外空間７５を覆う片持ち形式の片持ち屋根部１１０と、を備えている。【選択図】図１
2018154972.tif 000002
【特許請求の範囲】
【請求項１】
下階から上階に亘り面一状に形成されるとともに、下階採光窓と上階採光窓とを有する第一隅壁部と、
前記下階から前記上階に亘り面一状に形成されるとともに、一端側が前記第一隅壁部の一端側に接続されて前記第一隅壁部とともに入隅部を構成する第二隅壁部と、
前記第一隅壁部の他端側に、一端側で接続されて前記第一隅壁部とともに第一出隅部を構成する第一壁部と、
前記第二隅壁部の他端側に、一端側で接続されて前記第二隅壁部とともに第二出隅部を構成する第二壁部と、
前記第一隅壁部に面し前記下階採光窓を介して採光される下階居室部と、
前記第一隅壁部に面し前記上階採光窓を介して採光される上階居室部と、
前記第一隅壁部、前記第二隅壁部、前記第一壁部の延長面、及び前記第二壁部の延長面で画成された半屋外空間を覆う片持ち形式の片持ち屋根部と、を備えていることを特徴とする建物。
【請求項２】
前記上階の内部空間を覆う屋根部の上面と、前記片持ち屋根部の上面とは、連続した略平坦な屋根面を形成していることを特徴とする請求項１に記載の建物。
【請求項３】
前記片持ち屋根部の先端からは、前記片持ち屋根部に比べて薄肉の片持ち形式の庇部が延伸していることを特徴とする請求項１又は請求項２に記載の建物。
【請求項４】
前記片持ち屋根部の軒天井と前記庇部の軒天井とは連続している請求項３に記載の建物。
【請求項５】
前記屋根部及び前記片持ち屋根部には太陽電池パネルが載置されていることを特徴とする請求項１から請求項４の何れか１項に記載の建物。
【請求項６】
前記第一隅壁部の表面から外方向へ向かう法線が示す方位と、南方位と、のなす角度が４５°以内となるように配置されていることを特徴とする請求項１から請求項５の何れか１項に記載の建物。
【請求項７】
前記第一壁部及び前記第二壁部の少なくとも前記下階部分には、水平荷重作用時の変形を抑制する水平耐力部材を備えている請求項１から請求項６の何れか１項に記載の建物。
【発明の詳細な説明】
【技術分野】
【０００１】
本発明は、建物に関するものである。
【背景技術】
【０００２】
例えば、各階の天井高が２．４ｍ程度（階高が２．８ｍ程度）の２階建ての住宅で、居間、食堂及び台所が一体空間とされたＬＤＫを１階に設けた場合、外周壁のＬＤＫに面する部分に、ＬＤＫと屋外スペースとを出入り可能とする掃き出し窓を設けることが多い。このような構成では、ＬＤＫと屋外スペースとの一体性が増し、居住者は、屋外スペースを食事や団らん、日光浴等の場として有効に活用することができる。
【０００３】
また、このような住宅では、寝室等のプライペートな居室は主に２階に設けられるとともに、居室から掃き出し窓を通じて出入り可能なバルコニーが外周壁から張り出して設けられることがある（例えば、下記特許文献１参照）。バルコニーは、前述した屋外スペースの上方に設けることで、庇として機能させることができる。更に、２階居室への日射量調整のために、掃き出し窓の上方にはバルコニーと重なるように庇が設けられることもある。
【先行技術文献】
【特許文献】
【０００４】
【特許文献１】特開２００９−９１７５３号公報
【発明の概要】
【発明が解決しようとする課題】
【０００５】
前述したバルコニーや庇は、一般的に外周壁からの突出量が例えば半間（０．９１ｍ）程度に設定されることが多い。このようなバルコニーや庇では、入射角の大きな太陽光の室内への進入を遮り室温の上昇を抑制することができると考えられる。しかしながら、酷暑期や残暑期（例えば、８月中旬〜９月中旬）等、夏至前後に比べて太陽光の入射角が小さくなる時期においては、バルコニーや庇により太陽光を十分に遮ることができない。また、酷暑期や残暑期は、バルコニーの床面等で反射した太陽光の照り返しの影響も大きい。
【０００６】
酷暑期や残暑期の日除け効果を高めるために、対象となる部屋の直上のバルコニーや庇の突出量をむやみに大きくすると、特に太陽光の入射角の小さい冬季において、対象となる部屋への太陽光の入射量を確保することが難しくなってしまう。また、対象となる部屋の直上のバルコニーや庇の突出量を大きくすると、対象となる部屋や屋外スペースからの天空の眺望がバルコニーや庇によって遮られ、開放感が損なわれるという課題もある。
【０００７】
そこで、本発明は、前述した事情に考慮してなされたもので、開放感を損なうことなく、室内の温熱環境を向上させることができる建物を提供することを目的とする。
【課題を解決するための手段】
【０００８】
上記課題を解決するために、本発明は以下の態様を採用した。本発明の一態様に係る建物は、下階から上階に亘り面一状に形成されるとともに、下階採光窓と上階採光窓とを有する第一隅壁部と、前記下階から前記上階に亘り面一状に形成されるとともに、一端側が前記第一隅壁部の一端側に接続されて前記第一隅壁部とともに入隅部を構成する第二隅壁部と、前記第一隅壁部の他端側に、一端側で接続されて前記第一隅壁部とともに第一出隅部を構成する第一壁部と、前記第二隅壁部の他端側に、一端側で接続されて前記第二隅壁部とともに第二出隅部を構成する第二壁部と、前記第一隅壁部に面し前記下階採光窓を介して採光される下階居室部と、前記第一隅壁部に面し前記上階採光窓を介して採光される上階居室部と、前記第一隅壁部、前記第二隅壁部、前記第一壁部の延長面、及び前記第二壁部の延長面で画成された半屋外空間を覆う片持ち形式の片持ち屋根部と、を備えている。
【０００９】
本態様によれば、半屋外空間を片持ち屋根部で覆うことで、夏至前後に比べて太陽の入射角が小さくなる酷暑期や残暑期においても、片持ち屋根部によって上階居室部や下階居室部への太陽光の入射を抑制でき、日除け効果を十分に得ることができる。また、下階（下階居室部）の直上にはバルコニーや庇が設けられず、片持ち屋根部は上階（上階居室部）の上方に設けられるので、片持ち屋根部が大きく突出していたとしても、入射角の小さな太陽光が下階居室部内に入射しやすいので、冬季の日射量を確保しやすく、上階居室部における夏季の照り返しの影響も抑制することができる。さらに、下階から上階に亘ってバルコニーや庇がなく連続した壁面で画成された半屋外空間を形成することで、下階居室部の日除けの為に下階居室部（下階採光窓）の直上にバルコニーや庇を設ける場合に比べて、下階居室部からの天空の眺望が遮られにくく開放感を与えることができる。
【００１０】
また、本態様では、片持ち屋根部が片持ち形式で突出しているため、片持ち屋根部の先端部を柱等で支持する構成に比べて建築コストが抑制できるとともに、半屋外空間に柱等の構造物が配置されないので半屋外空間を有効活用でき、眺望が柱等によって遮られることがなく開放感を与えることもできる。
【００１１】
上記態様において、前記上階の内部空間を覆う屋根部の上面と、前記片持ち屋根部の上面とは、連続した略平坦な屋根面を形成していてもよい。本態様によれば、屋根部及び片持ち屋根部の上面が連続した略平坦な屋根面を形成しているため、屋上階をしやすくすることができる。
【００１２】
上記態様において、前記片持ち屋根部の先端からは、前記片持ち屋根部に比べて薄肉の片持ち形式の庇部が延伸していてもよい。本態様によれば、屋根部から突出した部分（片持ち屋根部及び庇部）全体の突出量をさらに大きくすることができ、日除け効果を更に向上させることができる。また、庇部を片持ち屋根部に比べて薄肉とすることで、庇部の軽量化を図ることができ、建物の意匠性も向上させることができる。
【００１３】
上記態様において、前記片持ち屋根部の軒天井と前記庇部の軒天井とは連続していてもよい。本態様によれば、建物の意匠性を更に向上させることができる。
【００１４】
上記態様において、前記片持ち屋根部には太陽電池パネルが載置されていてもよい。本態様によれば、屋根部のみに太陽光発電パネルを設置する場合に比べて、自家発電量を増加させたり、一定の自家発電量を維持した上で屋上テラスを設けたりすることができる。
【００１５】
上記態様において、前記第一隅壁部の表面から外方向へ向かう法線が示す方位と、南方位と、のなす角度が４５°以内となるように配置されていてもよい。本態様によれば、第一隅壁部の表面から外方向へ向かう法線が示す方位と、南方位と、のなす角度が４５°以内になるように第一隅壁部を配置することで、下階居室部内や上階居室部内への採光性を確実に向上させることができる。
【００１６】
上記態様において、前記第一壁部及び前記第二壁部の少なくとも前記下階部分には、水平荷重作用時の変形を抑制する水平耐力部材を備えていてもよい。本態様によれば、水平荷重作用時の変形を拘束する水平耐力部材が第一壁部及び第二壁部のうち、少なくとも下階部分に設置されているため、半屋外空間の周辺での建物の強度（耐震性）を確保できる。
【発明の効果】
【００１７】
本発明の一態様によれば、開放感を損なうことなく、室内の温熱環境を向上させることができる建物を提供することができる。
【図面の簡単な説明】
【００１８】
【図１】実施形態に係る建物の南立面図である。
【図２】実施形態に係る建物の斜視図である。
【図３】実施形態に係る建物の配置図兼１階平面図である。
【図４】実施形態に係る建物の２階平面図である。
【図５】実施形態に係る建物の屋上階平面図である。
【図６】図１のＶＩ−ＶＩ線に相当する断面図である。
【発明を実施するための形態】
【００１９】
次に、本発明の実施形態を図面に基づいて説明する。なお、図３〜５においては、図の上方が北となるように作図されている。本実施形態の建物２は、図３に示すように、略矩形状の南入りの敷地（敷地南側の境界線が道路に接する敷地）に建設された、２階建ての専用住宅であり、略平坦な屋根（いわゆる陸屋根）を有する。各階の天井高は約２．４ｍ、階高（下階のある部位から上階の同一部位までの高さ）は約２．９ｍである。建物２の１階部分は、南側の中央に突出部を有し、全体として平面視で凸形状をなしている。敷地内の突出部の西側の空地を利用して、カーポート１２０、アプローチ１２５及び玄関ポーチ１３が形成され、敷地内の突出部の東側の空地を利用して後述する半屋外空間７５が形成されている。半屋外空間７５には、ウッドデッキ等で構成された、後述するＬＤＫ（第一居室部）２３から出入り可能でＬＤＫ２３の床面と略同一高さの屋外床９３が設けられている。屋外床９３と敷地南側の境界線との間には、通行人の視線を遮る為の、高さが１．６ｍ程度の塀（遮蔽部）１２１が設けられている。塀１２１の内外には塀１２１の乗り越えを防ぐ低木１３０が植え込まれるとともに、塀１２１の外にはシンボルツリーとしての中木１３１が植え込まれている。また、半屋外空間７５の上方には後述する片持ち屋根部１１０が設けられている。
【００２０】
図３に示すように、１階には、玄関２１、ＳＣ（シューズクローク）２２、ＬＤＫ（リビングダイニングキッチン）２３、洗面室２４、浴室２５、トイレ２６、階段室２７等が配置されている。玄関２１は、玄関壁部１５を挟んで玄関ポーチ１３に隣接しており、玄関壁部１５の開口部に設けられた玄関ドア１６を介して玄関ポーチ１３から出入り可能に構成されている。玄関２１の東側には、玄関ホール３０が玄関２１と間仕切り等で離隔されることなく接続されている。ＳＣ２２は、玄関２１の西側に配置され、玄関２１から出入り可能に構成されている。ＬＤＫ（下階居室部）２３は、居間３１、食堂３２及び台所３３が連なることで、一体的な空間を構成している。ＬＤＫ２３は、出入口３４を介して玄関ホール３０と出入り可能に構成されている。水廻りである洗面室２４、浴室２５、及びトイレ２６は、ＬＤＫ２３に対して西側にまとまって配置されており、洗面室２４とトイレ２６は、出入口を介してＬＤＫ２３から出入り可能に構成されている。階段室２７は、玄関ホール３０に隣接して配置されており、建物２の１階（玄関ホール３０）と２階（ホール４３）とを連絡する折り返し形式の階段３７が設けられている。また、階段３７の下方の空間を利用して階段下収納４１が設けられている。
【００２１】
図４に示すように、建物２の２階には、階段室２７、ホール（上階居室部）４３、建物２の居住者の個室（寝室、子供室等）となる複数の居室部（第一居室部４５及び第二居室部４６）、ＷＩＣ（ウォークインクローゼット）６４、トイレ４８、及び外部空間であるバルコニー４７が配置されている。ホール４３は、階段室２７に隣接するとともに南面するように配置され、東西方向に延在している。トイレ４８は、出入り口を介してホール４３から出入り可能に構成されている。
【００２２】
第一居室部４５は、建具５２が設けられた連通部５１を通してホール４３から出入り可能に構成されている。建具５２は、天地丈の４枚引き違い戸であって、透光性を有する面材（例えば、半透明アクリルパネル）を用いて構成されており、閉状態であってもホール４３からの採光が可能である。また、北側壁部１０Ｎのうち、第一居室部４５に面する部分には、第一居室部４５と屋外とを連通する引き違い窓が設けられた２つの開口部５４が形成されている。第一居室部４５は、南北方向に延在する間仕切りを開口部５４の間に設けることで、２室として使用することが可能である。
【００２３】
第二居室部４６は、建具５７が設けられた連通部５６を通してホール４３から出入り可能に構成されている。北側壁部１０Ｎのうち第二居室部４６に面する部分には、第二居室部４６と屋外とを連通する縦辷り出し窓が設けられた開口部５８が形成されている。また、西側壁部１０Ｗのうち、第二居室部４６に面する部分には、第二居室部４６とバルコニー４７とを出入可能に連通する掃き出し窓が設けられた開口部６１が形成されている。バルコニー４７には、２階と屋上階とを連絡する螺旋状の屋外階段６６が設けられている。また、ＷＩＣ６４は第二居室部４６から出入り可能に構成されている。
【００２４】
図５に示すように、屋上階は、後述する屋根部４及び片持ち屋根部１１０の上面の矩形状の領域であり、屋上テラス７１及び発電スペース７２として利用されている。  屋上テラス７１は、屋上階における北西の角部であって屋根部４上の領域に位置している。屋上テラス７１は、例えば、発電スペース７２の北寄りの領域に対して影を落としにくい縦桟あるいは透明パネルからなる手摺７７によって他の領域と区画されており、西側部分には、前述した屋外階段６６が接続されている。発電スペース７２は、屋上階のうち屋上テラス７１を除く領域であって、屋根部４上及び片持ち屋根部１１０上に跨る日照条件のよい領域に、略L字状に配置されている。発電スペース７２には、複数の太陽光発電パネル７３が設置されている。
【００２５】
半屋外空間７５は、外周壁１０のうち、東側壁部（第一壁部）１０Ｅの延長面と、南側壁部（第二壁部）１０Ｓの延長面と、東側壁部１０Ｅに接続された第一隅壁部８１と、南側壁部１０Ｓに接続された第二隅壁部８２と、により画成された領域である。
【００２６】
第一隅壁部８１は、１階から２階に亘り面一状に形成され、東側壁部１０Ｅの南側端部から後述する第二隅壁部８２の北側端部に達する部分であり、東西方向に延在している（すなわち、第一隅壁部８１の表面から外方向へ向かう法線が示す方位と南方位とのなす角度が概ね０°となっている）。第一隅壁部８１の東側端部（他端側）は、東側壁部１０Ｅの南側端部（一端側）とともに第一出隅部８３を形成している。
第一隅壁部８１の１階部分はＬＤＫに面し、この１階部分には開口部８５が形成され、この開口部８５には、折れ戸形式の全開型の掃き出し窓（下端が床面に略一致し「跨ぎ」が生じない窓）であり、上端がＬＤＫ２３の天井面近傍まで達するＬＤＫ窓（下階採光窓）８６が設けられている。ＬＤＫ２３内と半屋外空間７５とは、ＬＤＫ窓８６により出入り可能に連通している。ＬＤＫ窓８６は、透光性を有するガラスが嵌め込まれた障子を有し、これによりＬＤＫ２３には自然採光が確保される。ＬＤＫ窓８６の幅Ｗ１は約３．０ｍ、第一隅壁部８１の水平方向長さＬ１は約３．６ｍであり、ＬＤＫ窓８６の幅Ｗ１は、第一隅壁部８１の長さＬ１に対して２／３以上確保されている。
【００２７】
第一隅壁部８１の２階部分はホール４３に面し、２階部分には開口部８８が形成され、この開口部８８には、引き戸形式の可動部と嵌め殺し部とからなり、下端の高さが床面近傍に位置し、上端がホール４３の天井面近傍まで達する大型の窓であるホール窓（上階採光窓）８９が設けられている。ホール４３と半屋外空間７５とは、ホール窓８９により連通している。ホール窓８９は、透光性を有するガラスが嵌め込まれた障子や嵌め殺し部を有し、これによりホール４３には自然採光が確保される。ホール窓８９の幅Ｗ２は約３．０ｍ、第一隅壁部８１の水平方向長さＬ１は約３．６ｍであり、ホール窓８９の幅Ｗ２は、第一隅壁部８１の水平方向長さＬ１に対して２／３以上確保されている。なお、ホール窓８９の内側には、転落防止のための手摺９０が設けられている（図６参照）。
【００２８】
第二隅壁部８２は、１階から２階に亘り面一状に形成され、南側壁部１０Ｓの東側端部から第一隅壁部８１の西側端部に達する部分であって、南北方向に延在し、水平方向の長さは約１．８ｍである。第二隅壁部８２の南側端部（他端側）は、南側壁部１０Ｓの東側端部（一端側）とともに第二出隅部９１を形成している。第二隅壁部８２の北側端部（一端側）は、第一隅壁部８１の西側端部（一端側）に接続されるとともに、第一隅壁部８１の西側端部とともに入隅部９２を形成している。
【００２９】
図３、図４に示すように、建物２の外周壁１０のうち、少なくとも前述した東側壁部１０Ｅ及び南側壁部１０Ｓの内部（外装壁と内装壁との間の空間）には、建物２に対する水平荷重作用時の変形を拘束する水平耐力部材９５が設けられている。水平耐力部材９５には、筋交い（ブレース）、耐力壁パネル等を用いることができる。水平耐力部材９５は、東側壁部１０Ｅ及び南側壁部１０Ｓの内部のうち、１階部分、２階部分の夫々に設けられている。
【００３０】
図２、図６に示すように、建物２の屋根部４は、２階の内部空間（外周壁１０で囲まれた領域）の直上に位置し２階の内部空間を覆う本体屋根部１００と、本体屋根部１００から持ち出された突出部１０１と、を備えている。突出部１０１は、片持ち屋根部１１０及び庇部１１１を備えている。片持ち屋根部１１０は、本体屋根部１００における東側周縁部（東側壁部１０Ｅの上方の周縁部）の延長線と、南側周縁部（南側壁部１０Ｓの上方の周縁部）の延長線とで囲まれた領域に、本体屋根部１００から片持ち状に持ち出されるように構成されており、本体屋根部１００及び片持ち屋根部１１０が全体として平面視で矩形状に形成されるとともに、半屋外空間７５の全域を、柱等を立設させることなく上方から覆うことを可能としている。
【００３１】
また、本体屋根部１００は、複数の２階柱に架け渡された屋根梁上に載置されたＡＬＣパネル等からなる屋根スラブ、屋根スラブ上面に敷設された断熱材、断熱材上面に貼着された防水シート等で構成されている。一方、片持ち屋根部１１０は、本体屋根部１００を構成する屋根梁を片持ち屋根部方向に持ち出して構成された片持ち形式の屋根梁の上に、本体屋根部と同一の層構成で構成される。この構成により、連続した略平坦な屋根面が形成されている。また、本体屋根部１００及び片持ち屋根部１１０は、人の歩行や重量物の積載を想定した設計がなされている。片持ち屋根部１１０の上面は前述のように発電スペース７２の一部として活用されており、片持ち屋根部１１０は、日射のコントロールのみならず、発電スペースの確保や増加にも寄与している。
【００３２】
図１、図４に示すように、庇部１１１は、平面視でＬ字状をなし、片持ち屋根部１１０の先端側の二辺に沿って、南側及び東側に持ち出されている。庇部１１１の西側端部は、本体屋根部１００の南側周縁に達する位置まで延伸され、庇部１１１の北側端部は、本体屋根部１００の東側周縁に達する位置まで延伸されている。庇部１１１の片持ち屋根部１１０の先端からの突出量は、約０．８ｍであり、突出部１０１全体の本体屋根部１００（第一隅壁部８１）からの南側への突出量は、約２．６ｍである。
【００３３】
庇部１１１は、片持ち屋根部１１０とは異なり人の歩行や重量物の積載を想定しない部位であり、片持ち屋根部１１０に比べて強度や剛性を必要としない。従って、庇部１１１は、片持ち屋根部１１０に比べて軽量化がなされている。また、図６に示すように、庇部１１１の厚さＴ２は、片持ち屋根部１１０の厚さＴ１に比べて薄く、シャープな印象を与える。また、図２、図６に示すように、庇部１１１の軒天井と片持ち屋根部１１０の軒天井とは、同一材料を用いて、段差や継ぎ目が生じることがないように構成され、連続性を有している。また、庇部１１１の軒天井と片持ち屋根部１１０の軒天井の高さは、ホール４３の天井面と略等しい高さとなるように設定されている。庇部１１１は、片持ち屋根部１１０とは異なり比較的簡易な構成であり、設計時点で、建物２の全体構成は変えずに、庇部１１１の突出量を適宜調整することで、日射量を最適化させることができる。
【００３４】
以上説明したように、本実施形態では、半屋外空間７５を片持ち屋根部１１０で覆うことで、夏至前後に比べて太陽の入射角が小さくなる酷暑期や残暑期においても、片持ち屋根部１１０によってＬＤＫ２３やホール４３への太陽光の入射を抑制でき、日除け効果を十分に得ることができる。また、ＬＤＫ２３の直上にはバルコニーや庇が設けられず、片持ち屋根部１１０はホール４３の上方に設けられるので、片持ち屋根部１１０が大きく突出していたとしても、入射角の小さな太陽光がＬＤＫ２３内に入射しやすく、冬季の日射量を確保しやすく、ホール４３における夏季の照り返しの影響も抑制することができる。さらに、１階から２階に亘ってバルコニーや庇がなく連続した壁面で画成された半屋外空間７５を形成することで、ＬＤＫ２３の日除けの為にＬＤＫ２３（ＬＤＫ窓８６）の直上にバルコニーや庇を設ける場合に比べて、ＬＤＫ２３からの天空の眺望が遮られにくく開放感を与えることができる。
【００３５】
また、片持ち屋根部１１０が片持ち形式で突出しているため、片持ち屋根部１１０の先端部を柱等で支持する構成に比べて建築コストが抑制できるとともに、半屋外空間７５に柱等の構造物が配置されないので半屋外空間７５を有効活用でき、眺望が柱等によって遮られることがなく開放感を与えることもできる。
【００３６】
また、本体屋根部１００及び片持ち屋根部１１０の上面が、屋上階（屋上テラス７１及び発電スペース７２）における連続した略平坦な屋根面を形成しているため、屋上階をしやすくすることができる。
【００３７】
また、片持ち屋根部１１０よりも薄肉の庇部１１１が片持ち屋根部１１０の先端部から突出しているため、本体屋根部１００からの突出部１０１全体の突出量をさらに大きくすることができ、日除け効果を更に向上させることができる。また、庇部１１１を片持ち屋根部１１０に比べて薄肉とすることで、庇部１１１の軽量化を図ることができ、建物２の意匠性も向上させることができる。更に、片持ち屋根部１１０及び庇部１１１の軒天井が面一に配置されているため、建物２の意匠性をより向上させることができる。
【００３８】
また、屋根部４上のうち片持ち屋根部１１０を含む領域に、太陽光発電パネル７３が設置されている構成としたので、本体屋根部１００上のみに太陽光発電パネルを設置する場合に比べて、自家発電量を増加させたり、一定の自家発電量を維持した上で屋上テラス７１を設けたりすることができる。
【００３９】
また、第一隅壁部８１から外側へ向かう法線が示す方位が南方位に一致するように第一隅壁部８１を配置することで、ＬＤＫ２３やホール４３内への採光性を確実に向上させることができる。
【００４０】
さらに、建物２の水平方向の変形を拘束する水平耐力部材９５が南側壁部１０Ｓ及び東側壁部１０Ｅの１階及び２階に設けられているため、半屋外空間７５の周辺での建物２の強度（耐震性）を確保できる。
【００４１】
本発明の技術範囲は、前述した各実施形態に限定されるものではなく、本発明の趣旨を逸脱しない範囲において種々の変更を加えたものを含む。例えば、前述した実施形態では、建物２は２階建てであるが、３階建て以上の建物の連続する２つの階層において、前述した実施形態と同様の構成を適用することができる。例えば、３階建ての建物における２階及び３階に適用する際は、１階の屋根部を利用して屋外床を設けることができる。
【００４２】
また、前述した実施形態では、下階居室部がＬＤＫ、上階居室部がホールの建物を例示したが、下階居室部及び上階居室部は他の用途の居室であってもよく、下階採光窓や上階採光窓において、その開閉形式は、引き違い形式、すべり出し形式、開き形式等でもよく、ガラス種も透光性を有するものであればよい。下階採光窓や上階採光窓の高さ寸法（下端から上端までの高さ）や幅寸法も、必要とされる採光面積に応じて適宜変更することができる。
【００４３】
また、第一隅壁部や第二隅壁部の水平方向長さも、特に限定されない。但し、ある程度の閉塞感を確保する為には、前者はおおむね２．７ｍから５．４ｍの範囲、後者はおおむね１．５ｍから２．０の範囲であることが好ましい。また、建物の向きは東西に振れていても構わない。但し、第一隅壁部の表面から外方向へ向かう法線が示す方位と、南方位とのなす角度が４５°以内にとなっていることが好ましい。
【００４４】
また、水平耐力部材は、第一壁部及び第二壁部の下階部分に設けられていればよく、庇部は、１方向（例えば、第一隅壁部の延在方向と同一方向）にのみ持ち出されるようにしてもよいし、片持ち屋根部の一方の辺における一部から持ち出されるようにしてもよい。
【００４５】
その他、本発明の趣旨を逸脱しない範囲で、前述した実施形態における構成要素を周知の構成要素に置き換えることは適宜可能であり、また、前述した変形例を適宜組み合わせてもよい。
【符号の説明】
【００４６】
２…建物、４…屋根部、１０…外周壁、１０Ｅ…東側壁部（第一壁部）、１０Ｎ…北側壁部、１０Ｓ…南側壁部（第二壁部）、１０Ｗ…西側壁部、１３…玄関ポーチ、１５…玄関壁部、１６…玄関ドア、２１…玄関、２２…ＳＣ、２３…ＬＤＫ（下階居室部）、２４…洗面室、２５…浴室、２６…トイレ、２７…階段室、３０…玄関ホール、３２…食堂、３３…台所、３４…出入口、３７…階段、４１…階段下収納、４３…ホール（上階居室部）、４５…第一居室部、４６…第二居室部、４７…バルコニー、４８…トイレ、５１…連通部、５２…建具、５４…開口部、５６…連通部、５７…建具、５８…開口部、６１…開口部、６４…ＷＩＣ、６６…屋外階段、７１…屋上テラス、７２…発電スペース、７３…太陽光発電パネル、７５…半屋外空間、７７…手摺、８１…第一隅壁部、８２…第二隅壁部、８３…第一出隅部、８５…開口部、８６…ＬＤＫ窓（下階採光窓）、８８…開口部、８９…ホール窓（上階採光窓）、９０…手摺、９１…第二出隅部、９２…入隅部、９３…屋外床、９５…水平耐力部材、１００…本体屋根部、１０１…突出部、１１０…片持ち屋根部、１１１…庇部、１２０…カーポート、１２１…塀（遮蔽部）、１２５…アプローチ、１３０…低木、１３１…中木
【図１】
2018154972.tif 000003
【図２】
2018154972.tif 000004
【図３】
2018154972.tif 000005
【図４】
2018154972.tif 000006
【図５】
2018154972.tif 000007
【図６】
2018154972.tif 000008